(57)【要約】【課題】下流側の流体（排水やガス）が上流側へ漏出してしまうことを防止する間接排水用継手を提供する。【解決手段】間接排水用継手１は、排水用空間１５を有する本体部１０を備え、本体部１０における排水用空間１５内の所定位置には、トラップ５０が取り付けられており、トラップ５０に備えられた弁体６０は、上流から流れてくる排水が下流に向けて通過する通過状態βと、排水管部７３内の流体が上流側へ流出することを阻止する流体逆流阻止状態αと、の間で状態変換する。【選択図】図３
2018188922.tif 000002
【特許請求の範囲】
【請求項１】
上流から流れてくる排水を、下流側に配された排水管部に向けて間接排水するための間接排水用継手であって、
排水が通過する排水用空間を内部に有する本体部を備えており、
前記本体部は、
上流から流れてくる排水を前記排水用空間内に受け入れる受入部と、
前記排水用空間と前記排水管部とを連通する排出部と、
前記排水用空間と当該本体部の外部とを連通する通水部と、
を備え、
さらに前記本体部の前記排水用空間内の所定位置には、流体逆流防止手段が配置されており、
前記流体逆流防止手段は、排水が内部を流通可能な形状の封止部を備え、
前記封止部は少なくとも、
上流から流れてくる排水が下流に向けて通過する通過状態と、
前記排水管部内の流体が当該本体部よりも上流側へ流出することを阻止する流体逆流阻止状態と
に状態変換する
ことを特徴とする間接排水用継手。
【請求項２】
前記上流から前記本体部に流れてくる排水が、前記本体部よりも上流側に配された機器から排出されるドレン排水である
請求項１に記載の間接排水用継手。
【請求項３】
前記上流から前記本体部に流れてくる排水が、前記本体部よりも上流側に配された雨樋から排出される雨水である
請求項１に記載の間接排水用継手。
【請求項４】
前記流体逆流防止手段は、前記本体部に対して脱着可能とされており、
前記本体部には、前記流体逆流防止手段を前記排水用空間内の前記所定位置と外部との間で出し入れ可能とする脱着用開口部が設けられている
請求項１乃至請求項３のいずれか１項に記載の間接排水用継手。
【請求項５】
前記脱着用開口部には、当該脱着用開口部を開閉する扉部が取り付けられている
請求項４に記載の間接排水用継手。
【請求項６】
前記扉部の外周面には、外側に向かって突出するリブが設けられている
請求項５に記載の間接排水用継手。
【請求項７】
前記扉部は、前記本体部の外周面に沿って摺動自在に取り付けられており、
前記扉部が摺動することによって前記脱着用開口部が開放又は閉鎖される
請求項５又は請求項６に記載の間接排水用継手。
【請求項８】
前記扉部には、前記扉部が前記脱着用開口部を閉鎖した状態で前記排水用空間と前記本体部の外部とを連通する通水部が設けられている
請求項５乃至請求項７のいずれか１項に記載の間接排水用継手。
【請求項９】
前記本体部は、
前記流体逆流防止手段が前記本体部に取り付けられた状態で、前記流体逆流防止手段を前記所定位置に固定する固定手段を備えている
請求項１乃至請求項８のいずれか１項に記載の間接排水用継手。
【請求項１０】
前記本体部に設けられている前記通水部の開口面積の合計の方が、前記封止部内の前記通過状態における流動方向に直交する横断面に沿った開口面積の合計のうち最小のものより大きい
請求項１乃至請求項９のいずれか１項に記載の間接排水用継手。
【発明の詳細な説明】
【技術分野】
【０００１】
本発明は、下流側の排水管から漏出する排水が上流側へ流れて悪影響を及ぼしてしまうことを防止する間接排水用継手に関する。
【背景技術】
【０００２】
従来から、例えば給湯器等の機器のドレン排水を排出する排水経路に採用されるものであって、下流側の排水管から排水が逆流して機器に故障等の悪影響を与えてしまうことを防止する間接排水構造は既によく知られている（例えば特許文献１，２参照）。
【先行技術文献】
【特許文献】
【０００３】
【特許文献１】特開２０１１−１６２９４７号公報
【特許文献２】特開２０１６−２１１１６６号公報
【発明の概要】
【発明が解決しようとする課題】
【０００４】
しかしながら、上記特許文献１に開示されている間接排水用器具や上記特許文献２に開示されている間接排水用継手にあっては、下流側の排水やガス（有害ガス）が上流側へ達してしまい、かかる排水やガスが機器内の部品に接触することによって当該部品が腐食してしまう場合があった。
【０００５】
そこで本発明は、下流側の排水管で発生した排水やガスが上流側へ流れて悪影響が生じてしまうことを防止する間接排水用継手を提供することを目的とする。
【課題を解決するための手段】
【０００６】
本発明は、上流から流れてくる排水を、下流側に配された排水管部に向けて間接排水するための間接排水用継手であって、排水が通過する排水用空間を内部に有する本体部を備えており、前記本体部は、上流から流れてくる排水を前記排水用空間内に受け入れる受入部と、前記排水用空間と前記排水管部とを連通する排出部と、前記排水用空間と当該本体部の外部とを連通する通水部と、を備え、さらに前記本体部の前記排水用空間内の所定位置には、流体逆流防止手段が配置されており、前記流体逆流防止手段は、排水が内部を流通可能な形状の封止部を備え、前記封止部は少なくとも、上流から流れてくる排水が下流に向けて通過する通過状態と、前記排水管部内の流体が当該本体部よりも上流側へ流出することを阻止する流体逆流阻止状態とに状態変換することを特徴とする間接排水用継手である。
【０００７】
かかる構成にあっては、前記流体逆流防止手段が流体逆流阻止状態となることによって前記間接排水用継手の本体部よりも上流側に流体（排水やガス）が漏出しないので、例え下流側で有害な流体が発生しても上流側へ悪影響が及ぶことを防止することができる。勿論、前記流体逆流防止手段が通過状態となることによって、前記排水管部に向けて排水を流すことが可能である。なお、仮に下流側の排水管部から排水が逆流したとしても、かかる逆流水は、前記排水用空間から前記通水部を経て本体部の外部へ流出可能であるため、間接排水構造を適切に構築することができる。
【０００８】
上記構成にあって、前記上流から前記本体部に流れてくる排水が、前記本体部よりも上流側に配された機器から排出されるドレン排水である構成が提案される。
【０００９】
かかる構成にあっては、ドレン排水を排出する前記機器に、下流側の流体が到達してしまうことを防止することができる。勿論、前記流体逆流防止手段が通過状態となることによって、前記排水管部に向けてドレン排水を流すことが可能である。加えて、仮に下流側の排水管部から排水が逆流したとしても、かかる逆流水は、前記通水部を介して前記本体部の外部へ流出するため、機器が損傷するおそれがない。
【００１０】
また上記構成とは別に、前記上流から前記本体部に流れてくる排水が、前記本体部よりも上流側に配された雨樋から排出される雨水である構成が提案される。
【００１１】
かかる構成にあっては、前記雨樋に、下流側の流体が到達してしまうことを防止することができる。勿論、前記流体逆流防止手段が通過状態となることによって、前記排水管部に向けて雨水を流すことが可能である。加えて、仮に下流側の排水管部から排水が逆流したとしても、かかる逆流水は、前記通水部を介して前記本体部の外部へ流出するため、雨樋へ逆流するおそれがない。
【００１２】
また、前記流体逆流防止手段は、前記本体部に対して脱着可能とされており、前記本体部には、前記流体逆流防止手段を前記排水用空間内の前記所定位置と外部との間で出し入れ可能とする脱着用開口部が設けられている構成が提案される。
【００１３】
かかる構成とすることにより、前記流体逆流防止手段を交換したり修理したりすることが可能となるため、当該流体逆流防止手段のメンテナンス作業が容易となる。
【００１４】
さらに、前記脱着用開口部には、当該脱着用開口部を開閉する扉部が取り付けられていることが望ましい。
【００１５】
かかる構成とすることにより、通常の使用状態においては、前記脱着用開口部を前記扉部で閉鎖してゴミや虫等が前記排水用空間内に進入してしまうことを防止することができる。一方、メンテナンス作業を行うときには、前記脱着用開口部を開放して前記流体逆流防止手段を出し入れすることができる。
【００１６】
またさらに、前記扉部の外周面には、外側に向かって突出するリブが設けられている構成が望ましい。
【００１７】
かかる構成とすることにより、前記扉部自体の強度を向上させることができる。また、前記扉部を開閉する際に、作業者は前記リブをツマミとして手で摘んで作業することができるため、作業性が向上する利点がある。
【００１８】
また、前記扉部は、前記本体部の外周面に沿って摺動自在に取り付けられており、前記扉部が摺動することによって前記脱着用開口部が開放又は閉鎖される構成が提案される。
【００１９】
かかる構成とすることにより、前記脱着用開口部を開放又は閉鎖するための開閉構造を簡素化かつコンパクトなものとすることができる。
【００２０】
また、前記扉部には、前記扉部が前記脱着用開口部を閉鎖した状態で前記排水用空間と前記本体部の外部とを連通する通水部が設けられている構成が提案される。
【００２１】
かかる構成とすることにより、仮に排水が逆流したときに、前記扉部に設けられた通水部からも排水を外部へ流出させることができる。
【００２２】
そして、前記本体部は、前記流体逆流防止手段が前記本体部に取り付けられた状態で、前記流体逆流防止手段を前記所定位置に固定する固定手段を備えている構成が提案される。
【００２３】
かかる構成とすることにより、万が一排水の逆流が生じた場合でも、前記流体逆流防止手段が所定位置から意図せず外れてしまうといった不具合を防止することができる。
【００２４】
さらに、前記本体部に設けられている前記通水部の開口面積の合計の方が、前記封止部内の前記通過状態における流動方向に直交する横断面に沿った開口面積の合計のうち最小のものより大きい構成が提案される。
【００２５】
かかる構成とすることにより、万が一排水の逆流が生じた場合でも、逆流した排水の流量に対して前記通水部の開口面積が十分に確保されるため、逆流した排水が前記排水用空間に滞留してしまうといった不具合が生じにくい。
【発明の効果】
【００２６】
本発明の間接排水用継手は、流体逆流防止手段を設けることで、間接排水構造を確保しつつ、下流側の流体が上流側へ流れて悪影響を及ぼしてしまうことを積極的に防止することができる。
【図面の簡単な説明】
【００２７】
【図１】間接排水用継手の使用状態を示す説明図である。
【図２】間接排水用継手の外観斜視図である。
【図３】使用状態における間接排水用継手の縦断面図である。
【図４】本体部を示し、（ａ）は外観斜視図であり、（ｂ）は正面図であり、（ｃ）は（ｂ）のＡ−Ａ線断面図である。
【図５】キャップを示し、（ａ）は外観斜視図であり、（ｂ）は平面図であり、（ｃ）は（ｂ）のＢ−Ｂ線断面図である。
【図６】扉部を示し、（ａ）は外観斜視図であり、（ｂ）は正面図であり、（ｃ）は（ｂ）のＣ−Ｃ線断面図である。
【図７】トラップを示し、（ａ）は外観斜視図であり、（ｂ）は平面図であり、（ｃ）は側面図であり、（ｄ）は（ｂ）のＤ−Ｄ線断面図である。
【図８】弁体の動作概要を示す説明図であり、（ａ）は流体逆流阻止状態を示し、（ｂ）は通過状態を示す。
【発明を実施するための形態】
【００２８】
本発明の間接排水用継手が、給湯器のドレン排水を排出する経路に使用された実施例を詳細に説明する。なお、本発明は、下記に示す実施例に限定されることはなく、適宜設計変更が可能である。
【００２９】
図１に示すように、間接排水用継手１は、上流側に配された給湯器７０と、下流側に配された排水本管７５との間に配置されて使用される。具体的に間接排水用継手１には、給湯器７０のドレン排水を排出するドレン管部７１が接続されていると共に、排水本管７５に接続されたます７４に連通する排水管部７３が接続されている。そして、間接排水用継手１は、上流から流れてくるドレン排水を、排水本管７５に向けて間接排水する機能を有する。
【００３０】
以下、間接排水用継手１の構成について説明する。
図２，３に示すように、間接排水用継手１は、軸線方向をほぼ上下方向とした円筒形状の本体部１０を備えている。
【００３１】
また、本体部１０内には、図３，４に示すように、排水が通過する排水用空間１５が形成されている。そしてさらに、本体部１０の上端部には排水用空間１５に連通する上側開口部１１が形成されていると共に、下端部には排水用空間１５に連通する下側開口部１２が形成されている。
【００３２】
なお、上側開口部１１には、図５に示すような蓋形状のキャップ３０が取り付けられている。そして、図３に示すようにキャップ３０の中央に形成された円筒形状のドレン管案内筒部３１内に、給湯器７０のドレン管部７１の下流側端部が差し入れられ、さらにドレン管部７１の下端が、ドレン管案内筒部３１の下端部に形成されたストッパー部３２に突き当てられた状態で相互が固定されている。ところで、ドレン管案内筒部３１の内周面には、当該ドレン管案内筒部３１の中心軸線に向かって突出したガイド凸部３３が、複数（４カ所）設けられている。かかる構成とすることにより、ドレン管案内筒部３１に対してドレン管部７１を挿脱する際の摩擦抵抗が抑えられて作業性が向上する。なお、本体部１０の上側開口部１１により、本発明にかかる受入部が構成される。
【００３３】
これに対し、本体部１０の下側開口部１２には、図３に示すように排水管部７３の上流側端部が接続されている。なお、本体部１０の下側開口部１２により、本発明にかかる排出部が構成される。
【００３４】
また、図４に示すように、本体部１０の側周面には、排水用空間１５と外部とを連通する長孔形状の通水部１６が複数設けられている。また、本体部１０の側周面には、通水部１６よりも大きな開口面積を有する脱着用開口部１３が一つ設けられている。
【００３５】
さらに、本体部１０の脱着用開口部１３には、脱着用開口部１３を開放又は閉鎖する扉部４０が配設されている。さらに詳述すると、扉部４０は、図６に示すように、本体部１０の形状に対応した横断面がほぼＣ形状をなす湾曲部材からなり、脱着用開口部１３を閉鎖可能とする寸法を有している。また、扉部４０の外周面には、外側に向かって突出するリブ４１が左右方向に沿って形成されている。また、扉部４０にも、本体部１０と同様に、長孔形状の扉部用通水部（通水部）４６が貫通状に複数設けられている。
【００３６】
そして、扉部４０は、脱着用開口部１３に対して左右方向に摺動自在に取り付けられており、通常時には、図２に示すように脱着用開口部１３を被覆した状態となり、メンテナンス時には本体部１０の外周面に沿って摺動して図４（ａ）に示すような脱着用開口部１３を開放した状態となる。
【００３７】
また、図３に示すように、本体部１０における排水用空間１５内の下端部であって、通水部１６よりも下側の位置には、流体逆流防止手段であるトラップ５０が脱着自在に取り付けられている。
【００３８】
さらに詳述すると、トラップ５０は、図７に示すように、円筒形状のトラップ本体部５１を備えている。また、トラップ本体部５１の上端部には、等間隔に配置された複数の凹部５２，５２と、複数の凹部５２，５２の間に配置された複数の切欠き状ガイド部５３とが形成されている。
【００３９】
また、トラップ本体部５１の上部には、径方向に架け渡された橋状のツマミ部５５が設けられている。さらに、トラップ本体部５１の外周面には、ゴム材料からなるＯリング５７が装着されている。
【００４０】
さらに、トラップ本体部５１の下端部には、ゴム材料からなる弁体６０が取り付けられている。弁体６０は、排水が内部を流通可能であって、下側に向かう程縮径した弾性変形可能な弁構造を有しており、下端部に形成された排出口６２（図８参照）は、通常時において対向する一対の平板状の口縁部６１，６１が互いに密着することで閉鎖された状態となっている。なお、前記弁体６０により、本発明にかかる封止部が構成されている。
【００４１】
一方、トラップ５０が固定される排水用空間１５における所定位置においては、図３，４に示すように本体部１０の内周面から内向きに突出したトラップ固定用凸部１８が設けられている。なお、トラップ固定用凸部１８により、本発明かかる固定手段が構成されている。
【００４２】
かかる構成にあって、トラップ５０を本体部１０の排水用空間１５に取り付ける際には、本体部１０のトラップ固定用凸部１８とトラップ５０の凹部５２との位置を合わせた上でトラップ５０を排水用空間１５の下部に押し込み、その後、本体部１０のトラップ固定用凸部１８がトラップ５０の切欠き状ガイド部５３の端部に当接するまで、ツマミ部５５を摘みながらトラップ５０を一方向に回動させる。これにより、トラップ５０と本体部１０との間にＯリング５７が介在した状態で、トラップ５０が本体部１０に対して水密状に固定される。なお、これまでに述べた逆の手順に沿ってトラップ５０を本体部１０から取り外すことが可能である。
【００４３】
次に、間接排水用継手１の動作態様について説明する。
上記のように間接排水用継手１が本体部１０に固定された状態において、ドレン排水が流れない通常時は、図８（ａ）に示すように、トラップ５０における弁体６０の口縁部６１，６１が互いに密着して排出口６２が閉鎖された流体逆流阻止状態αとなる。かかる状態では、図３に示すように排水本管７５内の流体（排水やガス）は、トラップ５０よりも上流側へ流出することが阻止されている。したがって、当該ガスが給湯器７０内に漏出してしまって機器が損傷する、といったことがない。
【００４４】
一方、給湯器７０からドレン排水が流出し、弁体６０内に所定量のドレン排水が蓄積されると、当該ドレン排水の重量によって弁体６０が弾性変形して図８（ｂ）に示すような口縁部６１，６１が互いに離開した形状となり、排出口６２が開口した通過状態βとなる。かかる状態では、弁体６０内のドレン排水が適切に下流側へ排出される。なお、弁体６０内に蓄積したドレン排水が適切に排出されると、当該弁体６０は元の形状に復帰して再び流体逆流阻止状態αとなる。
【００４５】
なお、仮に排水管部７３から排水が間接排水用継手１へ逆流したとしても、かかる逆流水は、排水用空間１５から通水部１６，２４を経て本体部１０の外部へ流出可能であるため、間接排水構造が適切に構築されている。
【００４６】
ここで、本体部１０における通水部１６，４６の開口面積の合計は、通過状態βにおけるドレン排水の流動方向に直交する横断面に沿った開口面積の合計のうち最小のもの（本実施例では排出口６２の開口面積）よりも大きくなるように定められている。かかる構成とすることにより、万が一、排水本管７５内の排水が逆流したとしても、その流量に対して通水部１６，４６の開口面積が十分に確保されることになるため、排水用空間１５内に逆流した排水が滞留してしまうことがない。ところで、通水部１６，４６の開口面積の合計は、下側開口部１２の開口面積よりも小さくするようにしてもよいし、又は通水部１６，４６の開口面積の合計と、下側開口部１２の開口面積とを等しくするようにしてもよい。
【００４７】
なお、トラップ５０は、本体部１０に対して脱着可能であるため、脱着用開口部１３を介してトラップ５０を出し入れして交換したり修理したりすることができる。
【００４８】
また、脱着用開口部１３を扉部４０で閉鎖した場合には、脱着用開口部１３からゴミや虫等が排水用空間１５に進入してしまうことを防止できる。なお、扉部４０にはリブ４１が形成されているため、扉部４０の強度は十分に確保される。また、リブ４１はツマミとして利用可能である。
【００４９】
さらに、扉部４０は本体部１０の外周面に沿って摺動する開閉構造としたため、簡素でコンパクトな構造となる。
【００５０】
また、本体部１０には、トラップ５０を固定する固定構造が設けられているため、万が一排水が逆流した際にも、トラップ５０が意図せず本体部１０から外れてしまうことがない。
【００５１】
なお、各部の寸法形状は適宜自由に選択可能である。
【００５２】
また、トラップ５０は、排水用空間１５内であって、通水部１６よりも上側の位置に取り付けられる構成であってもよい。かかる構成においても、排水本管７５内の流体が給湯器７０内に漏出してしまうことを防止できる。
【００５３】
また、トラップ５０は、上述した脱着可能な固定構造を有するものに代えて、本体部１０と一体化された固定構造を有するものであってもよい。かかる構成が採用された場合には、脱着用開口部１３が設けられてない構成が採用されてもよい。
【００５４】
また、トラップ５０は、上述した弾性材料からなる弁体６０に代えて、他の構造を有するものであってもよい。例えば、フロート（浮き部材）を用いた構成でもよい。
【００５５】
また、上述の実施例にあっては、キャップ３０を用いてドレン管部７１と本体部１０とを固定した構成であるが、例えばキャップ３０を用いずに、ドレン管部７１が単に本体部１０の排水用空間１５内に差し入れられていたり、排水用空間１５の上方に配置されていたりする構成でも構わない。また、これらのような構成以外の構造が用いられても勿論よい。
【００５６】
また、扉部４０の開閉構造は、上述した構成に代えて、ヒンジ構造を用いた開閉構造であってもよい。さらに、扉部４０の取付構造が、着脱自在な構造であってもよい。また、扉部４０に、扉部用通水部４６が形成されていない構成であってもよい。また、扉部４０を備えない構造も本発明に含まれる。
【００５７】
また、間接排水用継手１は、上述した使用形態に代えて、雨樋を流れる雨水を排出する経路に使用されてもよい。例えば、間接排水用継手１の上側開口部１１に、上流側に配された雨樋の下端部が接続され、下側開口部１２に、下流側に配された雨水本管に連通した排水管部が接続される構成が提案される。かかる構成の間接排水用継手１は、上流から流れてくる雨水を、雨水本管に向けて間接排水する機能を有する。
【符号の説明】
【００５８】
１          間接排水用継手
１０        本体部
１１        上側開口部（受入部）
１２        下側開口部（排出部）
１３        脱着用開口部
１５        排水用空間
１６        通水部
１８        トラップ固定用凸部（固定手段）
４０        扉部
４１        リブ
４６        扉部用通水部
５０        トラップ（流体逆流防止手段）
６０        弁体（封止部）
７０        給湯器（機器）
７５        排水管部
α          流体逆流阻止状態
β          通過状態
【図１】
2018188922.tif 000003
【図２】
2018188922.tif 000004
【図３】
2018188922.tif 000005
【図４】
2018188922.tif 000006
【図５】
2018188922.tif 000007
【図６】
2018188922.tif 000008
【図７】
2018188922.tif 000009
【図８】
2018188922.tif 000010